(57)【要約】      （修正有）【課題】３個以上任意に分岐の数を増やせるようにした配管用分岐接続具を提供する。【解決手段】配管用分岐接続具１は、第１と第２の接続部材３、７５と、中間接続部材３７とで構成する。中間接続部材３７は第１の接続部材と第２の接続部材との間に配置される。中間接続部材の一端側端部には、挿入部４３が設けられ、第１の接続部材の収受部に挿入される。挿入部の外周には円周方向に延びる外周溝５５、５７が形成され、外周溝と内周溝とにそれぞれ止め輪の内周側と外周側とが嵌ることにより第１接続部材と中間接続部材とは連結される。中間接続部材の他端側端部には、第１接続部材の収受部と同じ形状の収受部６３が形成され、第２接続部材の他端側端部には中間接続部材の挿入部と同じ形状の挿入部８５が形成され、止め輪６７、６９により中間接続部材と第２接続部材とは連結されている。【選択図】  図１
2005315365.tif 000002
【特許請求の範囲】
【請求項１】
両端が開口した貫通孔を備え、少なくとも一端側に形成された真直部と、該真直部において形成され、該真直部に直角方向に延びる軸芯を有する前記貫通孔に通じる分岐孔を有する分岐部を備えた第１の接続部材と、一端側が閉じ、他端側が開口した真直な筒状部と、該筒状部において形成され、該筒状部に直角方向に延びる軸芯を有する前記筒状部の内部孔に通じる分岐孔を有する分岐部を備えた第２の接続部材と、前記第１の接続部材と前記第２の接続部材との間に配置される中間接続部材を備え、前記中間接続部材は、貫通孔を備えた真直な筒状部と、該筒状部において形成され、該筒状部に直角方向に延びる軸芯を有する前記筒状部の内部孔に通じる分岐孔を有する分岐部とを備え、前記第１の接続部材の前記一端側端部と前記中間接続部材の一端側端部とは、一方側に設けられる挿入部が他方側に設けられる収受部に挿入され、前記挿入部の外周に形成される円周方向に延びる外周溝と、前記収受部の内周に形成される円周方向に延びる内周溝とが軸方向同じ位置に位置し、該外周溝と内周溝とにそれぞれ止め輪の内周側と外周側とが嵌ることにより結合され、前記中間接続部材の他端側端部と前記第２の接続部材の前記他端側端部とは、前記中間接続部材の他端側端部が、前記第１接続部材の前記一端側端部が備えた前記挿入部或いは収受部と同じ形状の挿入部或いは収受部を備え、前記第２の接続部材の前記他端側端部が、前記中間接続部材の前記一端側端部が備えた前記挿入部或いは収受部と同じ形状の挿入部或いは収受部を備え、それぞれに形成された外周溝と内周溝とが軸方向同じ位置に位置し、該外周溝と内周溝とに止め輪の内周側と外周側とが嵌ることにより結合され、前記中間接続部材が、１又は２以上接続されていることを特徴とする、配管用分岐接続具。
【発明の詳細な説明】
【技術分野】
【０００１】
本発明は、水道の配管に使用する分岐接続具に関する。さらに詳細に言えば、特に集合住宅などで使用して好適な水道配管用分岐接続具に関する。
【背景技術】
【０００２】
マンションなど集合住宅において、階段の踊り場の側壁部内部にパイプシャフトなるスペースを設け、そこに水道用メータやガスメータなどが設置される。近年一般家庭でも給湯器を使用することが多くなり、水道設備に関連して建築時に給湯器を設置してしまう場合が多い。この場合、給湯器への配管と、他の台所、トイレなどへ給水する屋内配管とは別々に設置され、その端部をパイプシャフト内へ突出させておき、後日各種水道機材を設置後、上流側の配管と前述した配管の端部とを接続する。従って、メータの下流側において配管を分岐する必要がある。
【０００３】
従前この分岐は、一般のエルボ、チーズ等の継手類及び直管などを組合せて行っていたが、その組合わせが現場での仕事になるため、作業が大変で、特に狭いパイプシャフトなどで行う場合はきわめて効率が悪かった。
【０００４】
これに対応するために本願出願人は、特開２００３−７４７８１号公報に開示された水道配管用分岐接続具を提供した。すなわちその分岐用接続具は、管の真直部に所定の距離を隔てて管の軸に直交する方向に二つの分岐部を設け、少なくともその一方を真直部に対して回転可能にした。これにより、配管の接続に使用する部品点数も少なくなり、接続作業もきわめて簡単になった。
【０００５】
ところで最近では住環境も大幅に改善され、１戸の家屋でも、例えば浴室を２個所に設けたりする場合があり、その場合、３つ以上に分岐することが望ましいことがある。しかし上記の分岐管では、分岐が２箇所であり、そのような要望に応えることができなかった。
【０００６】
【特許文献１】特開２００３−７４７８１号公報
【発明の開示】
【発明が解決しようとする課題】
【０００７】
本願発明は上記従来の問題点に鑑みなされたものであり、３個以上任意に分岐の数を増やせるようにした配管用分岐接続具を提供することを課題とする。
【課題を解決するための手段】
【０００８】
上記課題を解決するために本発明に係る配管用分岐接続具は、第１と第２の接続部材及び中間接続部材とで構成した。第１の接続部材は、両端が開口した貫通孔を備え、少なくとも一端側に形成された真直部と、該真直部において形成され、該真直部に直角方向に延びる軸芯を有する前記貫通孔に通じる分岐孔を有する分岐部を備えたている。第２の接続部材は、一端側が閉じ、他端側が開口した真直な筒状部と、該筒状部において形成され、該筒状部に直角方向に延びる軸芯を有する前記筒状部の内部孔に通じる分岐孔を有する分岐部を備えたている。中間接続部材は第１の接続部材と第２の接続部材との間に配置される。そしてその中間接続部材は、貫通孔を備えた真直な筒状部と、該筒状部において形成され、該筒状部に直角方向に延びる軸芯を有する前記筒状部の内部孔に通じる分岐孔を有する分岐部とを備えている。第１の接続部材の前記一端側端部と中間接続部材の一端側端部とは、一方側に設けられる挿入部が他方側に設けられる収受部に挿入され、前記挿入部の外周に形成される円周方向に延びる外周溝と、前記収受部の内周に形成される円周方向に延びる内周溝とが軸方向同じ位置に位置し、該外周溝と内周溝とにそれぞれ止め輪の内周側と外周側とが嵌ることにより結合される。中間接続部材の他端側端部と第２の接続部材の前記他端側端部とは、中間接続部材の他端側端部が、第１接続部材の前記一端側端部が備えた前記挿入部或いは収受部と同じ形状の挿入部或いは収受部を備え、第２の接続部材の前記他端側端部が、中間接続部材の前記一端側端部が備えた前記挿入部或いは収受部と同じ形状の挿入部或いは収受部を備え、それぞれに形成された外周溝と内周溝とが軸方向同じ位置に位置し、該外周溝と内周溝とに止め輪の内周側と外周側とが嵌ることにより結合される。そして中間接続部材は、１又は２以上接続されている。
【発明の効果】
【０００９】
本発明においては上記の通りの構成を採用したので、中間接続部材を必要な数だけ連結して所望の数の分岐部を得ることが出来る。中間接続部材は同じ部材を使用可能であるので、コスト的に安く提供できる。また、第１と第２の接続部材を直接連結することも可能であるので、２個の分岐のみが必要な場合にも対応可能である。
【発明を実施するための最良の形態】
【００１０】
以下、図面を参照して本発明の実施の形態について説明する。図１は第１の実施の形態に係る分岐接続具１の側断面図である。
【００１１】
本実施の形態での接続具１は、大略３つの部材からなっている。符号３はその第１の部材即ち第１の接続部材であり、両端が開口した貫通孔７を備えた筒状の真直部５を備えている。図において左側端部近くに、他の配管に接続するためのオネジ９が刻まれている。右側端部は接続部であり、後述の中間接続部材３７の一端を収受する収受部１１となっている。
【００１２】
この収受部１１の内周の径は、肩部１３を介して通じる左側の貫通孔７の部分より大きくなっている。具体的には、肩部１３から右側に向かうに連れて径が大きくなる第１傾斜部１５、それに続く同一径に形成された第１円環部１７、右側に向かって次第に径が大きくなる第２傾斜部１９、そして同一径に形成された第２円環部２１で構成されている。そして第１及び第２円環部１７、２１には、それぞれ所定の位置に円周方向に延びる第１と第２の内周溝２３、２５が形成され、ここにはそれぞれ止め輪３３、３５の外周側が嵌っている。
【００１３】
真直部５の収受部１１の図中左側の部分に、分岐部２７が形成されている。分岐部２７は、短い筒状の形をしており、真直部５に対し直角方向に延びている。その内部の孔２９は一端側で真直部５の貫通孔７に通じており、反対側の開口側端部から所定の範囲で内周にメネジ３１が形成されている。
【００１４】
符号３７は中間接続部材であり、本実施の形態では通常チーズと称される形態をしており、第１の接続部材３の貫通孔７に連通する両端が開口した貫通孔４１が形成された真直部３９を備えている。真直部３９の一端側（図中左側）には、第１の接続部材３の収受部１１に収受される挿入部４３が形成されている。なお、図中挿入部４３の右側には、組立て時に第１接続部材３の右側端面１２に当接可能なフランジ４２が径方向外方へ広がって形成されている。
【００１５】
挿入部４３の外形形状は第１接続部材３の収受部１１の内側形状に対応した形となっており、左側先端側から順に、第１接続部材３の肩部１３に当接可能な左側端面４５、それから第１接続部材の第１傾斜部１５、第１円環部１７、第２傾斜部１９、第２円環部２１にそれぞれ対応した形状の第１傾斜部４７、第１円環部４９、第２傾斜部５１、第２円環部５３が形成されている。そして、第１、第２円環部４９、５３には、第１接続部材３の第１と第２の内周溝２３、２５に対応した位置に、外周溝５５、５７が形成され、ここにそれぞれ前述の止め輪３３、３５の内周側が嵌っている。この止め輪３３、３５の作用により、第１接続部材３と中間接続部材３７とは連結されている。
【００１６】
この止め輪３３、３５としては、例えば通称Ｃ型リングと称されるものが使用可能であり、円周方向１箇所において切り欠かれ、自然状態から必要に応じて径が拡大する方向或いは縮小する方向に弾性変形が可能である。また、止め輪３３、３５としては、第１接続部材３と中間接続部材３７との連結時に中間接続部材３７の外周溝５５、５７に組込んで置き、挿入部４３を収受部１１に挿入する際に、途中で一旦径方向に縮小させられ、内周溝２３、２５と外周溝５５、５７の位置が合うと再度復元して内周溝２３、２５内にその外周側が嵌る第１のタイプと、第１接続部材３の内周溝２３、２５に組込んで置き、挿入部４３を収受部１１に挿入する際に、途中で一旦径方向に拡大し、内周溝２３、２５と外周溝５５、５７の位置が合うと再度復元して外周溝５５、５７に嵌る第２のタイプとが可能であり、いずれを使用しても良い。
【００１７】
なお、本実施の形態では、連結用の止め輪を２個使用したが、この場合、第１の止め輪３３の方が寸法が小さく、それに対応して第１の内周溝２３、外周溝５５の方が第２の内周溝２５、外周溝５７より径が小さくなっており、挿入途中で第１の止め輪３３が第２の内周溝２５或いは外周溝５７に嵌ることがないように寸法設定されている。
【００１８】
中間接続部材３７の第２円環部５７には、第２外周溝５７の右側にもう一つの外周溝５９も形成されており、ここにシール用のＯリング６１が収受されている。
【００１９】
中間部材３７の図中右側端部側には、収受部６３が形成されている。この収受部６３の形状は、第１の接続部材３の収受部１１と同じ形状に形成されており、止め輪６７、６９を用いて後述する第２の接続部材７５と連結されるが、その構成は先の説明から明らかなので、詳細な説明は省略する。また、収受部６３の左側に、分岐部６５が設けられているが、この形状は第１の接続部材３の分岐部２７と同じとすることができるので、やはりその詳細な説明は省略する。なお、収受部６３はその内周側において収受部１１と同じ形状に形成されていれば足り、外周側は必ずしも同じ形状とする必要はない。
【００２０】
符号７５は第２の接続部材であり、本実施の形態では通常エルボと称される形態をしている。すなわち、真直部７７に対して略直角に曲がった屈曲部７９が形成され、その屈曲部７９の先端に分岐部８１が形成されている。そして、真直部７７から屈曲部７９に渡って貫通孔８０がＬ字状に形成されている。別の見方をすれば、真直部７７の一端部即ち図中右側の端部は屈曲部７９の管壁により閉じられていることとなる。
【００２１】
真直部７７には、中間接続部材３７のフランジ４２と同様のフランジ８３が形成され、その左側には、中間部材３７の収受部６３に収受される挿入部８５が形成されている。この挿入部８３の形状は、少なくとも外周側において前述した中間接続部材３７の挿入部４３と同じになっているので、その詳細な説明は省略する。図示の通り中間接続部材３７と第２の接続部材７５とは止め輪６７と６９とで連結される。この場合、止め輪６７と６９は通常それぞれ前述の第１、第２の止め輪と同じ物が使用されるが、必ずしもその必要はない。例えば前述の第１の止め輪３３は前述した第１のタイプとし、第２の止め輪３５は第のタイプとする一方、止め輪６７、６９はそれぞれ第２、第１のタイプとしても良い。
【００２２】
分岐部８１は、真直部７７に対して直角方向に延びて形成されており、その形状は前述の第１の接続部材３の分岐部２７、中間接続部材３７の分岐部６５と同じ構成でよいので、その詳細な説明は省略する。
【００２３】
上述した実施の形態では、分岐接続具１は、第１、第２接続部材と一個の中間接続部材とで構成され、３個の分岐部が設けられているが、以上の説明から明らかなとおり、中間接続部材３７は所望に応じて必要な数だけ連結することができる。また、分岐が２つだけ必要な場合には、中間接続部材を使用せず、第１と第２の接続部材を直接結合して対応できる。
【００２４】
図２は、第２の実施の形態に係る分岐接続具８５の側断面図である。この分岐接続具８５も第１、第２の接続部材８６、８７と中間接続部材８８とで構成され、その基本的構成は、第１の実施の形態に係る分岐接続具１と同じであり、その異なるところは、シール用Ｏリングの配置の仕方である。即ち、この実施の形態では、第１の実施の形態で設けたOリング６１用の溝５９に対応する溝は形成せず、図示の様に、第１の接続部材８６の収受部８６ａの内周側と中間接続部材８８の挿入部８８ａの外周側にさらにそれぞれもう一つの段部を形成することによりＯリング収受部９０を形成し、ここにＯリング８９を収受している。中間接続部材８８と第２接続部材８７との間のシールについても同様である。シール用Ｏリングの配置については適宜他の構成も採用可能である。例えば、挿入部の先端側に配置するようにしてもよい。
【図面の簡単な説明】
【００２５】
【図１】本発明の第１の実施の形態に係る分岐接続具の側断面図である。
【図２】第２の第１の実施の形態に係る分岐接続具の側断面図である。
【符号の説明】
【００２６】
１：分岐接続具    ３：第１の接続部材    ５：真直部    ７：貫通孔
１１：収受部    １５：第１傾斜部    １７：第１円環部    １９：第２傾斜部
２１：第２円環部    ２３：第１内周溝    ２５：第２内周溝    ２７：分岐部
３３：第１の止め輪    ３５：第２の止め輪    ３７：中間接続部材
３９：真直部    ４１：貫通孔    ４２：フランジ  ４３：挿入部
４７：第１傾斜部    ４９：第１円環部    ５１：第２傾斜部    ５３：第２円環部
５５：第１外周溝    ５７：第２外周溝    ５９：第３の外周溝    ６１：Oリング
６３：収受部    ６５：分岐部    ６７、６９：止め輪    ７５：第２接続部材
７７：真直部    ７９：屈曲部    ８０：貫通孔    ８１：分岐部
【図１】
2005315365.tif 000003
【図２】
2005315365.tif 000004